(57)【要約】【課題】  通電されていない状態であっても内部のデータの読み出しまたは書き込みを行うことが可能なＴＶ等を提供すること。【解決手段】  ＴＶ１００は、電力供給部２１０およびデータ記憶部２２０を有する外部装置２００と接続されるインターフェース部１１０と、ＴＶ用データを記憶する記憶部１２２とを含んで構成され、記憶部１２２は、インターフェース部１１０を介して電力供給部２１０によって電力が供給されることにより、読み出し可能状態に設定され、インターフェース部１１０は、記憶部１２２が読み出し可能状態に設定された状態で、前記ＴＶ用データを、外部装置２００のデータ記憶部２２０へ向け出力するように構成されている。【選択図】      図１
2007251776.tif 000002
【特許請求の範囲】
【請求項１】
電力供給部およびデータ記憶部を有する外部装置と接続されるインターフェース部と、
ＴＶ用データを記憶する記憶部と、
少なくとも前記記憶部に電力を供給することが可能な本体電源と、
を含み、
前記記憶部は、前記本体電源から電力を供給されていない読み出し不能状態で、前記インターフェース部を介して前記電力供給部によって電力が供給されることにより、読み出し可能状態に設定され、
前記インターフェース部は、前記記憶部が前記読み出し可能状態に設定された状態で、前記ＴＶ用データを、前記外部装置の前記データ記憶部へ向け出力することを特徴とするＴＶ。
【請求項２】
請求項１に記載のＴＶにおいて、
前記記憶部は、前記本体電源から電力を供給されていない書き込み不能状態で、前記インターフェース部を介して前記電力供給部によって電力が供給されることにより、書き込み可能状態に設定され、
前記インターフェース部は、前記記憶部が前記書き込み可能状態に設定された状態で、前記データ記憶部に記憶された前記ＴＶ用データを前記記憶部に書き戻すことを特徴とするＴＶ。
【請求項３】
電力供給部およびＴＶ用データを記憶したデータ記憶部を有する外部装置と接続されるインターフェース部と、
記憶部と、
少なくとも前記記憶部に電力を供給することが可能な本体電源と、
を含み、
前記記憶部は、前記本体電源から電力を供給されていない書き込み不能状態で、前記インターフェース部を介して前記電力供給部によって電力が供給されることにより、書き込み可能状態に設定され、
前記インターフェース部は、前記記憶部が前記書き込み可能状態に設定された状態で、前記ＴＶ用データを前記記憶部に書き込むことを特徴とするＴＶ。
【請求項４】
請求項１〜３のいずれかに記載のＴＶにおいて、
前記インターフェース部は、
前記外部装置と接続可能な端子と、
前記端子を介して通常経路で情報を入出力するための通常状態と、前記端子を介して前記通常経路とは異なる経路で前記ＴＶ用データを入出力するためのメンテナンス状態とを切り替える切替部と、
を含むことを特徴とするＴＶ。
【請求項５】
請求項１〜４のいずれかに記載のＴＶにおいて、
前記ＴＶ用データは、ユーザーによって設定されるデータであるユーザー設定データ、前記ＴＶのシステムによって設定されるシステム設定データ、ダウンロードデータのうちの少なくとも１つのデータを含むことを特徴とするＴＶ。
【請求項６】
電力供給部およびデータ記憶部を有する外部装置と、記憶部を有するＴＶとが接続された状態で、
前記外部装置内のコンピュータまたは前記ＴＶ内のコンピュータは、
前記記憶部が読み出し不能な状態で、前記電力供給部によって電力を供給することにより、前記記憶部を読み出し可能状態に設定し、
前記記憶部に記憶されたデータを前記データ記憶部に書き込むことを特徴とするＴＶ用データ転送制御方法。
【請求項７】
電力供給部およびデータ記憶部を有する外部装置と、記憶部を有するＴＶとが接続された状態で、
前記外部装置内のコンピュータまたは前記ＴＶ内のコンピュータは、
前記記憶部が書き込み不能な状態で、前記電力供給部によって電力を供給することにより、前記記憶部を書き込み可能状態に設定し、
前記データ記憶部に記憶されたデータを前記記憶部に書き込むことを特徴とするＴＶ用データ転送制御方法。
【発明の詳細な説明】
【技術分野】
【０００１】
本発明は、ＴＶおよびＴＶ用データ転送制御方法に関する。
【背景技術】
【０００２】
近年、ＴＶが大型化している。大型ＴＶの場合、配送修理を行うことは困難であり、修理担当者がユーザーの自宅に出張して修理を行うことが一般的である。
【０００３】
しかし、ＴＶの場合、チャンネル設定データ等のＴＶ内に記憶されたＴＶ用データが存在している。故障等によってＴＶの基幹部品を交換する場合、ＴＶ用データも元の状態に復元することが好ましいが、従来は修理担当者が手作業でＴＶ用データを復元していたため、ＴＶ用データを元の状態に戻すことが困難であった。
【０００４】
このような場合、例えば、携帯電話の機種交換時の作業のように、設定データを一旦外部の装置に書き込んでおき、修理完了時にＴＶに設定データを書き戻す手法が考えられる。
【０００５】
また、例えば、特許文献１に記載されているように、外部メモリに記憶した設定データをＴＶに書き戻す手法も考えられる。
【特許文献１】特開２００５−３５１９９６号公報
【発明の開示】
【発明が解決しようとする課題】
【０００６】
しかし、ＴＶの場合、携帯電話のように手軽に持ち運べる装置ではないため、携帯電話の機種交換の手法をそのまま採用することはできない。
【０００７】
また、これらの手法では、データの移行対象の機器側の電源が通電している必要がある。しかし、ＴＶ故障時の作業が行われる場合、ＴＶの電源は通電されていないのが一般的であるため、これらの手法をそのまま採用することはできない。
【０００８】
本発明の目的は、通電されていない状態であっても内部のデータの読み出しまたは書き込みを行うことが可能なＴＶおよびＴＶ用データ転送制御方法を提供することにある。
【課題を解決するための手段】
【０００９】
上記課題を解決するため、本発明に係るＴＶは、
電力供給部およびデータ記憶部を有する外部装置と接続されるインターフェース部と、
ＴＶ用データを記憶する記憶部と、
少なくとも前記記憶部に電力を供給することが可能な本体電源と、
を含み、
前記記憶部は、前記本体電源から電力を供給されていない読み出し不能状態で、前記インターフェース部を介して前記電力供給部によって電力が供給されることにより、読み出し可能状態に設定され、
前記インターフェース部は、前記記憶部が前記読み出し可能状態に設定された状態で、前記ＴＶ用データを、前記外部装置の前記データ記憶部へ向け出力することを特徴とする。
【００１０】
また、本発明に係るＴＶ用データ転送制御方法は、
電力供給部およびデータ記憶部を有する外部装置と、記憶部を有するＴＶとが接続された状態で、
前記外部装置内のコンピュータまたは前記ＴＶ内のコンピュータは、
前記記憶部が読み出し不能な状態で、前記電力供給部によって電力を供給することにより、前記記憶部を読み出し可能状態に設定し、
前記記憶部に記憶されたデータを前記データ記憶部に書き込むことを特徴とする。
【００１１】
本発明によれば、ＴＶ等は、外部装置によってＴＶの記憶部に電力を供給することができるため、通電されていない状態であっても内部のデータを外部装置に読み出すことができる。
【００１２】
また、前記記憶部は、前記本体電源から電力を供給されていない書き込み不能状態で、前記インターフェース部を介して前記電力供給部によって電力が供給されることにより、書き込み可能状態に設定され、
前記インターフェース部は、前記記憶部が前記書き込み可能状態に設定された状態で、前記データ記憶部に記憶された前記ＴＶ用データを前記記憶部に書き戻してもよい。
【００１３】
これによれば、ＴＶ等は、外部装置によってＴＶの記憶部に電力を供給することができるため、書き込みおよび読み出しが不能な非通電状態であっても外部装置にＴＶ内部のデータを読み出しておき、修理完了後に外部装置に記憶されたデータをＴＶ内部の記憶部に書き戻すことができる。
【００１４】
また、本発明に係るＴＶは、
電力供給部およびＴＶ用データを記憶したデータ記憶部を有する外部装置と接続されるインターフェース部と、
記憶部と、
少なくとも前記記憶部に電力を供給することが可能な本体電源と、
を含み、
前記記憶部は、前記本体電源から電力を供給されていない書き込み不能状態で、前記インターフェース部を介して前記電力供給部によって電力が供給されることにより、書き込み可能状態に設定され、
前記インターフェース部は、前記記憶部が前記書き込み可能状態に設定された状態で、前記ＴＶ用データを前記記憶部に書き込むことを特徴とする。
【００１５】
また、本発明に係るＴＶ用データ転送制御方法は、
電力供給部およびデータ記憶部を有する外部装置と、記憶部を有するＴＶとが接続された状態で、
前記外部装置内のコンピュータまたは前記ＴＶ内のコンピュータは、
前記記憶部が書き込み不能な状態で、前記電力供給部によって電力を供給することにより、前記記憶部を書き込み可能状態に設定し、
前記データ記憶部に記憶されたデータを前記記憶部に書き込むことを特徴とする。
【００１６】
本発明によれば、ＴＶ等は、外部装置によってＴＶの記憶部に電力を供給することができるため、通電されていない状態であっても外部装置に記憶されたデータをＴＶ内部の記憶部に書き込むことができる。
【００１７】
また、前記インターフェース部は、
前記外部装置と接続可能な端子と、
前記端子を介して通常経路で情報を入出力するための通常状態と、前記端子を介して前記通常経路とは異なる経路で前記ＴＶ用データを入出力するためのメンテナンス状態とを切り替える切替部と、
を含んでもよい。
【００１８】
これによれば、ＴＶ等は、通常使用している端子をメンテナンス時（故障時等）にも使用できるため、メンテナンス用の新たな端子を設ける必要がないため、ＴＶの製造コストを抑制できる。
【００１９】
また、前記ＴＶ用データは、ユーザーによって設定されるデータであるユーザー設定データ、前記ＴＶのシステムによって設定されるシステム設定データ、ダウンロードデータのうちの少なくとも１つのデータを含んでもよい。
【００２０】
これによれば、ＴＶ等は、ユーザー設定データ等を読み出したり、バックアップしたユーザー設定データ等を書き戻したりすることができる。
【発明を実施するための最良の形態】
【００２１】
以下、本発明をＴＶに適用した場合を例に採り、図面を参照しつつ説明する。なお、以下に示す実施例は、特許請求の範囲に記載された発明の内容を何ら限定するものではない。また、以下の実施例に示す構成の全てが、特許請求の範囲に記載された発明の解決手段として必須であるとは限らない。
【００２２】
図１は、本実施例におけるＴＶ１００の機能ブロック図である。
【００２３】
ＴＶ１００は、プロジェクションＴＶ、プラズマＴＶ、液晶ＴＶ等の大型のＴＶであり、外部装置２００と接続可能に形成されている。ここで、外部装置２００は、電力供給部２１０と、データ記憶部２２０と、転送部２３０と、図示しない本体電源とを含んで構成されている。外部装置２００は、具体的には、例えば、携帯型ＰＣ(Personal Computer)、携帯型の専用装置等である。
【００２４】
また、ＴＶ１００は、外部装置２００と接続可能なインターフェース部１１０と、処理部１２０と、操作部１３０と、チューナー部１４０と、表示部１５０と、音声出力部１６０とを含んで構成されている。
【００２５】
また、インターフェース部１１０は、メンテナンス専用の端子である専用端子１１２を含んで構成されている。
【００２６】
また、処理部１２０は、ＴＶ用データ等を記憶する記憶部１２２と、ＴＶ用データ等に基づいて表示部１５０等を制御する制御部１２４とを含んで構成されている。なお、記憶部１２２は、本体電源から電圧（電力）を供給されることにより、書き込みおよび読み出しが可能な状態になっており、電源オフ等によって電圧が供給されなくなると書き込みおよび読み出しが不能な状態になる。
【００２７】
また、ＴＶ用データとしては、例えば、ユーザーによって設定されるデータであるユーザー設定データ、前記ＴＶのシステムによって設定されるシステム設定データ、ダウンロードデータ等が該当する。また、ユーザー設定データとしては、例えば、ダイナミック、シアター等の表示設定を示すデータ、ユーザーの居住地を示すデータ、ユーザーの視聴地域を示すデータ、コンポーネント、ビデオ等の入力ソースごとに設定されるデータ（画像サイズデータ、字幕位置設定データ等）、チャンネルごとに設定されるデータ（受信チャンネルとチャンネルボタンとの組み合わせを示すデータ、録画予約データ等）、映像信号ごとに設定されるデータ（色合い、明るさ等）等が該当する。また、システム設定データとしては、例えば、光源ランプの累積点灯時間を示すデータ、エラー履歴データ等が該当する。また、ダウンロードデータとしては、例えば、ユーザーがデジタル放送の視聴によって獲得したポイントを示すデータ、ファームウェアのアップデート用のデータ等が該当する。
【００２８】
なお、ＴＶ１００は、一般的なＴＶと同様のハードウェアを用いて各部の機能を実装できる。例えば、専用端子１１２としてはＲＳ−２３２Ｃ端子、ＵＳＢ端子等、記憶部１２２としては不揮発性メモリ等、制御部１２４としてはＣＰＵ等を採用してもよい。
【００２９】
また、外部装置２００は、一般的なＰＣと同様のハードウェアを用いて各部の機能を実装できる。例えば、電力供給部２１０としては電源等、データ記憶部２２０としてはフラッシュメモリ等、転送部２３０としてはＣＰＵ等を採用してもよい。また、外部装置２００を専用装置として構成する場合は、専用端子１１２に接続可能なアダプタを外部装置２００に設けてもよい。
【００３０】
次に、これらの各部を用いた修理処理の流れについて説明する。
【００３１】
図２は、本実施例における修理処理の流れを示すフローチャートである。
【００３２】
修理担当者は、ユーザーの自宅に設置されたＴＶ１００の修理を、外部装置２００を用いて行う。
【００３３】
まず、修理担当者は、安全のため、ＴＶ１００の電源コードを電源から取り外した状態で、外部装置２００をＴＶ１００の専用端子１１２に接続する（ステップＳ１）。この状態では、ＴＶ１００は通電されておらず、記憶部１２２は読み出しおよび書き込みが不能な状態であり、外部装置２００は、記憶部１２２内のデータを直接読み出せない。
【００３４】
電力供給部２１０は、専用端子１１２を介して記憶部１２２に電圧（電力）を供給し、記憶部１２２を読み出し可能状態に設定する（ステップＳ２）。転送部２３０は、記憶部１２２内のデータ（ＴＶ用データ）をデータ記憶部２２０に読み出す（ステップＳ３）。なお、外部装置２００が専用装置である場合は、修理担当者は、専用装置に設けられたデータ読み出しボタンを押すことによってステップＳ２、Ｓ３を実行してもよい。また、外部装置２００が携帯型ＰＣである場合は、キーボード操作等によって画像メニューでデータ読み出しを選択することによってステップＳ２、Ｓ３を実行してもよい。
【００３５】
データ読み出し完了後、修理担当者は、外部装置２００をＴＶ１００から取り外す（ステップＳ４）。
【００３６】
そして、修理担当者は、ＴＶ１００を修理する（ステップＳ５）。この場合、修理担当者は、記憶部１２２を含む処理基板（処理部１２０）を新しい処理基板に交換することも可能である。
【００３７】
修理担当者は、ＴＶ１００本体の修理完了後、再び外部装置２００をＴＶ１００に接続する（ステップＳ６）。
【００３８】
そして、修理担当者は、ボタン操作等によって外部装置２００にデータの書き戻し指示を行う。電力供給部２１０は、当該指示に応じて記憶部１２２に電圧（電力）を供給し、記憶部１２２を書き込み可能状態に設定する（ステップＳ７）。また、転送部２３０は、当該指示に応じてデータ記憶部２２０内のデータを記憶部１２２に書き戻す（ステップＳ８）。
【００３９】
データの書き戻し完了後、修理担当者は、外部装置２００をＴＶ１００から取り外す（ステップＳ９）。
【００４０】
そして、修理担当者は、ＴＶ１００の電源コードを電源に差し込み、本体電源を通電させ、ＴＶ１００を起動し（ステップＳ１０）、ＴＶ１００の動作確認を行う。
【００４１】
以上のように、本実施例によれば、ＴＶ１００は、外部装置２００によってＴＶ１００の記憶部１２２に電力を供給することができるため、故障時等のＴＶ１００が通電されていない状態であっても内部のデータを外部装置２００に読み出したり、修理完了後に外部装置２００に記憶されたデータを記憶部１２２に書き戻したりすることができる。
【００４２】
特に、記憶部１２２内のデータは、ユーザー設定データ等であるが、修理担当者は、ユーザー設定等を間違わずに、正確かつ迅速に復旧することができる。
【００４３】
なお、本発明の適用は上述した実施例に限定されず、種々の変形が可能である。
【００４４】
例えば、上述した実施例では、ＴＶ１００は、専用端子１１２を用いたが、汎用端子を用いてもよい。
【００４５】
図３は、本実施例における汎用端子を使用する場合のＴＶ１００の機能ブロック図である。
【００４６】
図３に示すインターフェース部１１０には、専用端子１１２に代えて汎用端子１１３と、切替部１１４が設けられている。なお、汎用端子１１３としては、例えば、ＵＳＢ端子、ＲＳ−２３２Ｃ端子等が該当する。汎用端子１１３は、通常時は画像データ等の入出力に用いられるが、メンテナンス時は上述したユーザー設定データ等の入出力に用いられる。
【００４７】
切替部１１４は、外部装置２００からの指示に応じて記憶部１２２の電圧入力経路を通常経路から外部装置２００からの本体電源からの電圧供給経路に切り替える。そして、電力供給部２１０は、当該電圧供給経路を介して記憶部１２２のＶＣＣ端子に電圧を供給し、記憶部１２２を動作可能状態に設定する。
【００４８】
これによれば、ＴＶ１００は、通常使用している汎用端子１１３をメンテナンス時（故障時等）にも使用できるため、メンテナンス用の新たな端子を設ける必要がないため、ＴＶ１００の製造コストを抑制できる。なお、切替部１１４は、通常状態（本体電源からの電圧供給経路を使用する状態）からメンテナンス状態（電力供給部２１０からの電圧供給経路を使用する状態）に切り替えた場合、メンテナンス完了後にメンテナンス状態から通常状態に切り替える。
【００４９】
また、本発明の適用は、修理時に限定されず、例えば、ＴＶ１００の交換時等にも有効である。例えば、ユーザーは、外部装置２００を元のＴＶ１００に接続してユーザー設定データ等を外部装置２００に記憶しておき、外部装置２００を新たなＴＶ１００に接続してユーザー設定データ等を新たなＴＶ１００の記憶部１２２に書き込んでもよい。
【００５０】
これによれば、ユーザーは、ＴＶ１００を買い換える場合等に元のＴＶ１００の設定を新たなＴＶ１００でそのまま使用することができる。また、このように、データ移行作業はユーザーが行ってもよいし、業者が行ってもよい。
【００５１】
また、ＴＶ１００と外部装置２００間のデータ転送を行う主体は、外部装置２００の転送部２３０であってもよいし、ＴＶ１００の制御部１２４であってもよい。また、ＴＶ用データは、ユーザー設定データ、システム設定データ、ダウンロードデータのすべてを含む必要はなく、これらのデータのうちの少なくとも１つのデータを含んでいればよい。
【００５２】
また、ＴＶ１００の機能を複数の装置に分散して実装してもよい。例えば、デジタル放送対応のチューナーにインターフェース部１１０、チューナー部１４０、処理部１２０を設け、当該チューナーで受信された画像をＴＶが表示してもよい。
【図面の簡単な説明】
【００５３】
【図１】本実施例におけるＴＶの機能ブロック図である。
【図２】本実施例における修理処理の流れを示すフローチャートである。
【図３】本実施例における汎用端子を使用する場合のＴＶの機能ブロック図である。
【符号の説明】
【００５４】
１００  ＴＶ、１１０  インターフェース部、１１２  専用端子、１１３  汎用端子、１１４  切替部、１２２  記憶部、１２４  制御部、２００  外部装置、２１０  電力供給部、２２０  データ記憶部
【図１】
2007251776.tif 000003
【図２】
2007251776.tif 000004
【図３】
2007251776.tif 000005